(57)【特許請求の範囲】
【請求項１】
ラッチ杆の軸心回りに回動して係合姿勢と係合解除姿勢とに切り替わるラッチ爪と、前記ラッチ爪のうちこれが係合解除するように回動する方向に向いて前方に位置した背面に当接し得るラッチレバーとを備えており、
前記ラッチレバーは、錠の解施錠操作にて前記ラッチ杆の軸心と交叉した軸心回りに回動することによってロック姿勢とフリー姿勢とに姿勢変更するようになっており、前記錠を施錠して前記ラッチレバーがロック姿勢になると、前記ラッチ爪はその背面がラッチレバーの係合部に当接して係合解除姿勢に回動することができず、錠を解錠して前記ラッチレバーがフリー姿勢になると、前記ラッチ爪は係合姿勢から係合解除姿勢まで回動自在となって、前記ラッチ杆を回動操作することで係合姿勢から係合解除姿勢に姿勢変更させ得る構成であって、
前記ラッチレバーの係合部に、当該ラッチレバーの回動軸心方向から見てロック姿勢のラッチ爪に被さるような膨らみ部を形成し、前記膨らみ部のうちラッチ爪の背面に当たる部分を、ラッチ爪の回動軸心に対して傾斜した傾斜面又は湾曲面に形成しており、施錠状態で前記ラッチ爪を係合解除姿勢に回動させようとすると、当該ラッチ爪の背面が前記ラッチレバーの膨らみ部に食い込んでラッチレバーのその回動軸心方向にせり上げる傾向を呈するようになっている、
ロック装置。
【発明の詳細な説明】
【技術分野】
【０００１】
本願発明は、電気錠方式やシリンダ錠方式等のロック装置に関するものである。
【背景技術】
【０００２】
引出しや扉を備えたキャビネット等の家具、或いは建物の扉において、引出しや扉等のロック手段として電気錠を使用することが広く行われている（例えば特許文献１参照）。
【０００３】
電気錠には駆動手段として電磁ソレノイドが使用されており、この電磁ソレノイドは、コイルに通電（励磁）するとロッド（可動鉄心）が一方向に移動し、コイルへの通電を遮断すると内蔵したばねでロッドが他方向に移動する構造になっている。この場合、電磁ソレノイド方式の電気錠では、ロッドがばねによって移動した状態で施錠状態となり、コイルに通電されるとロック解除されるようになっている。これは、停電でもロック状態を保持するためである。
【０００４】
他方、水平回動式の扉を備えたキャビネットでは、扉を閉じ状態に保持する手段として、扉のうち自由端部寄りの上端部又は下端部若しくは上下両端部に水平回動式のラッチ爪を設けて、このラッチ爪を水平回動させてキャビネット本体の係合部（係合穴）に係合させるようになっており、更に、電気錠で扉をロックする手段としては、キャビネット本体の係合部に係合したラッチ爪を、電磁ソレノイドで駆動されるラッチレバーで回動不能に保持するようになっていることが多い。
【特許文献１】実公平７−２８３６６号公報
【発明の開示】
【発明が解決しようとする課題】
【０００５】
ラッチレバーは電磁ソレノイドによってロック姿勢とロック解除姿勢とに回動するようになっており、ラッチ爪の回動を阻止してロックする場合は、ラッチレバーは、キャビネット本体に係合した姿勢のラッチ爪のうち、キャビネット本体の係合部から離脱する方向（係合解除方向）に向いて前方に位置した背面に当接させることになる。
【０００６】
ところで、人が悪意等により、キャビネット本体の内部に何らかの部材を差し込んでラッチ爪をロック解除姿勢に回動させることが考えられ、この場合、ラッチレバーがラッチ爪の背面に単に当たるに過ぎない場合は、ラッチ爪を回動させようとする力がそのままラッチレバーを回動させようとする力となり、このため、電磁ソレノイドのロッドがスライドしてラッチレバーがロック解除姿勢に向けて回動し、ロック状態を確保できなくなる虞がある。
【０００７】
本願発明は、この問題を解消することを課題とするものである。
【課題を解決するための手段】
【０００８】
本願発明のロック装置は、ラッチ杆の軸心回りに回動して係合姿勢と係合解除姿勢とに切り替わるラッチ爪と、前記ラッチ爪のうちこれが係合解除するように回動する方向に向いて前方に位置した背面に当接し得るラッチレバーとを備えており、前記ラッチレバーは、錠の解施錠操作にて前記ラッチ杆の軸心と交叉した軸心回りに回動することによってロック姿勢とフリー姿勢とに姿勢変更するようになっており、前記錠を施錠して前記ラッチレバーがロック姿勢になると、前記ラッチ爪はその背面がラッチレバーの係合部に当接して係合解除姿勢に回動することができず、錠を解錠して前記ラッチレバーがフリー姿勢になると、前記ラッチ爪は係合姿勢から係合解除姿勢まで回動自在となって、前記ラッチ杆を回動操作することで係合姿勢から係合解除姿勢に姿勢変更させ得る。
そして、前記ラッチレバーの係合部に、当該ラッチレバーの回動軸心方向から見てロック姿勢のラッチ爪に被さるような膨らみ部を形成し、前記膨らみ部のうちラッチ爪の背面に当たる部分を、ラッチ爪の回動軸心に対して傾斜した傾斜面又は湾曲面に形成しており、施錠状態で前記ラッチ爪を係合解除姿勢に回動させようとすると、当該ラッチ爪の背面が前記ラッチレバーの膨らみ部に食い込んでラッチレバーのその回動軸心方向にせり上げる傾向を呈するようになっている。
【発明の効果】
【０００９】
本願発明によると、ロック状態でラッチ爪を解錠方向に回動させようとすると、ラッチレバーはラッチ爪によって僅かながら回動し得るが、ラッチレバーにおける係合部（膨らみ部）の傾斜面又は湾曲面がラッチ爪の背面に被さる状態になっているため、ラッチ爪の回動による外力は、ラッチレバーに対してはその回動軸心と交叉した方向に押すように作用し、このため、ラッチレバーがロック解除姿勢に回動することが阻止される。換言すると、ラッチ爪をロック姿勢（係合姿勢）からロック解除姿勢（係合解除姿勢）に回動させようとすると、ラッチ爪がラッチレバーの係合部に食い込むような現象が生じ、このため、ラッチレバーの回動を阻止してロック状態を確保できるのである。
【発明を実施するための最良の形態】
【００１０】
次に、本願発明の実施形態を図面に基づいて説明する。本実施形態は、システム収納家具における水平回動式扉のロック装置に適用している。
【００１１】
(1).家具の概要
図１は本願発明の実施形態に係るシステム収納家具の概略斜視図であり、システム収納家具は、複数段の引出し２を設けた下キャビネット１と、その上方に配置された上キャビネット３と、上下キャビネット１，３の間に挟み込んだ状態に配置されている薄型の中間ユニット４、上キャビネット３の上方に配置した天枠材５とで１組のシステムが構成されている。上キャビネット３は水平回動式の左右扉６，７を備えているが、引き戸式の扉であっても良い。１つのシステム式収納家具は、３つ以上のキャビネットから成っていても良い。
【００１２】
中間ユニット４は上下に開口した中空の枠状に形成されており、この中間ユニット４には、下キャビネット１の各引出し２を一斉にロックするための引出し用電気錠８と、上キャビネット３の扉６，７をロックするための扉用電気錠９とを内蔵している。中間ユニット４の前面には、前記した電気錠を操作するカードを読み取るリーダー１０，１１を設けると共に、扉６，７を手動で解施錠するためのシリンダ錠１３と引出し２を手動で解施錠するためのシリンダ錠１２とを臨ませている。
【００１３】
なお、電気錠の解施錠方法としては、カードをリーダにかざすことでロック又はロック解除できるようにしたり、タッチパネル等の入力部に暗証番号を入力して解施錠を行ったり、或いはリモコンで操作して解施錠するなど、様々の方式を採用できる。
【００１４】
(2).扉用電気錠
次に、扉用電気錠９の具体的な構造を図２〜図５に基づいて説明する。図２のうち（Ａ）は扉６，７を分離した状態での一部破断平面図、（Ｂ）はロック状態での部分的な平断面図、（Ｃ）は（Ｂ）のＣ−Ｃ視断面図、図３は図２（Ｂ）の III-III視断面図、図４は図２（Ａ）のIV−IV視断面図、図５は作用を示す斜視図である。
【００１５】
本実施形態では、左扉６の自由端部に右扉７の自由端部が重なるようになっており、このため、右扉７をロックすることで左右扉６，７がロックされるようになっている。図２に示すように、両扉６，７の自由端部は中空状に形成されていてその内部に上下長手のラッチ杆１５が回転自在に配置されており、ラッチ１５の上下両端又は下端にラッチ爪１６を相対回転不能に取り付けている。図示してないが、ラッチ杆１６は係合姿勢に向けて回転し勝手となるようにばねで付勢されている。
【００１６】
なお、図２（Ｃ）の符号１７でラッチ杆１５の軸受け部を示している。また、右扉７には引手部１８を設けている。引手部１８に設けたレバー（図示せず）を引くとラッチ杆１５が回転して、ラッチ爪１６が係合解除方向に回動する。
【００１７】
上キャビネット３は前向きに開口した本体１９を備えており、本体１９の上下框のうち上下両方若しくは下方に、係合手段の一例として、閉扉状態でラッチ爪１６がその回動によって係脱する係合穴２０を形成している。ラッチ爪１６は鉤部１６ａを備えているが、鉤部１６ａのうち閉扉に際して係合穴２０のうちに当たる部分は平面視で傾斜した傾斜面になっている。これは、閉扉動に際してラッチ爪１６をいわゆる蹴り込みによって自動的に係合穴２０に嵌まり込ませるためである。
【００１８】
ラッチ爪１６のうち、係合穴２０に嵌まった姿勢から離脱する方向に向いて前方に位置した背面１６ｂは、平面視で略直線状に延びる形状になっている。
【００１９】
扉用電気錠９は、電磁ソレノイド２１とラッチレバー２２とを備えている。電磁ソレノイド２１は従来公知のものであり、コイル及びばねを内蔵しており、ロッド２３が部分的に突出している。電磁ソレノイド２１はロッド２３が左右長手の水平姿勢となるように配置されており、前後に広幅面を有する左右長手の支持体（ブラケット板）２４の背面に固定されている。支持体２４は、中間ユニット６の骨組みを構成する基枠２５に固着されている。
【００２０】
ラッチレバー２２の大部分（本体部）は支持体２４の手前側に配置されており、その一端部（左端部）が前後長手の枢支ピン２６によって支持体２４に連結されている。従って、ラッチレバー２２は枢支ピン２６を中心にして上下回動し得る。ラッチレバー２２には、支持体２４に形成した窓穴２７から公報に延びる後ろ向き足部２８が一体に形成されており、後ろ向き足部２８の後端に形成した横向き部２８ａと電磁ソレノイド２１のロッド２３とを前後長手のピン２９で連結している。
【００２１】
ラッチレバー２２は、全体的に見て水平部と起立部とを有する正面略Ｌ字状の形態になっており、水平部と起立部とが繋がるコーナー部の背面にローラドグ３０を設ける一方、支持体２４には、ローラドグ３０が当たることでＯＮとなるロック姿勢検知用リミットスイッチ３１及びロック解除検知用リミットスイッチ３２を設けている。なお、ラッチレバー２２はシリンダ錠１２によっても解施錠できるが、図面ではシリンダ錠１２で解施錠するための部材は省略している。
【００２２】
ラッチレバー２２は、ラッチ爪１６に係脱する係合部３３を有している。係合部３３はキャビネット本体１９の内部に入り込む必要があり、このため、キャビネット本体１９及び中間ユニット６の基枠３５には、ラッチレバー２２の回動を許容するための窓穴３４を空けている。ロック解除状態で、ラッチレバー２２の係合部３３はキャビネット本体１９の下方に逃げるように設定されている。
【００２３】
そして、ラッチレバー２２の係合部３３をラッチ爪１６の背面１６ｂに当てることでロック状態を保持するものであるが、ラッチレバー２２の係合部３３に、当該ラッチレバー２２の軸心方向から見てラッチ爪１６に上方から被さるような膨らみ部３３ａを形成して、この膨らみ部３３ａのうちラッチ爪１６の背面１６ｂに臨んだ面を、ラッチ杆１５の軸心に対して傾斜した傾斜面３３ｂに形成している。
【００２４】
ラッチレバー２２はばね３５によって解錠姿勢に付勢されており、ばね３５は、ラッチレバー２２の後ろ向き足部２８と、支持体２４に設けた軸３６とに装架されている。
【００２５】
さて、人が不正等の目的でラッチ爪１６を施錠姿勢から解錠する方向に回動させようとすると、ラッチ爪１６は図５に矢印ａで示すように回動しようとして、これに連れて、ラッチ爪１６によってラッチレバー２２の係合部３３が押される。すると、ラッチレバー２２は僅かながら枢支ピン２９を中心にして解錠姿勢に向けてｂ方向に回動しようとするが、膨らみ部３３ａに傾斜面３３ｂが形成されていることにより、ラッチ爪１６がラッチレバー２２の膨らみ部３３ａに食い込む傾向を呈する。
【００２６】
すると、ラッチレバー２２の係合部３３は矢印ｃに示すようにラッチ爪１６でせり上げられる状態になり、このため、ラッチレバー２２が解錠方向に回動することが阻止される。すなわち、ラッチ爪１６が回動しようとしても、ラッチ爪１６は、ラッチレバー２２をその回動方向と異なる方向に押すように作用するため、ラッチレバー２２が解錠姿勢に回動してしまうことを防止できるのである。
【００２７】
ところで、ラッチレバー２２を本実施形態と逆方向に回動させて、例えば図３において反時計回りに回動することでロック解除姿勢となるようにすることも考えられ、仮に、このような状態を実現できると、ラッチレバー２２はロック姿勢においてラッチ爪１６で押されても回動しないため、ロック姿勢を保持できると言える。
【００２８】
しかし、扉７を閉じた状態（ラッチ爪１６を係合部２０に係合させた状態）でラッチレバー２２の回動を許容するためには、ラッチ爪１６が係合状態でラッチレバー２２の回動を許容せねばならず、すると、ロック機能を果たすことができない。これに対し本願発明では、ラッチ爪１６の係合解除方向に向いた状態でラッチレバー２２は前方に逃げ回動することでロック解除姿勢に移行するため、ロック機能に支障はなく、かつ、前記したとおり、膨らみ部３３ａの存在により、ラッチ爪１６を強引に回動させようとした場合のロック機能も確保できるのである。
【００２９】
上記の実施形態は水平回動式扉のロック装置に適用したが、本願発明は、スライド式の扉のロック装置や引出しのロック装置、或いは、建物における扉のロック装置など、ラッチ爪を有する種々のロック装置に適用できる。なお、回動扉式のキャビネットの場合、ラッチ爪は扉の上端部と下端部とのうちいずれか一方又は両方に設けることができる。
【００３０】
本実施形態は操作手段として電磁ソレノイドを使用したが、操作手段としてシリンダ錠等の手動式錠を使用して、キーの回転によってラッチレバーを回動させることも可能である。
【図面の簡単な説明】
【００３１】
【図１】本願発明の実施形態に係るシステム収納家具の概略斜視図でる。
【図２】（Ａ）は扉を分離した状態での一部破断平面図、（Ｂ）はロック状態での部分的な平断面図、（Ｃ）は（Ｂ）のＣ−Ｃ視断面図である。
【図３】図２（Ｂ）の III-III視断面図である。
【図４】図２（Ａ）のIV−IV視断面図である。
【図５】作用を示す斜視図である。
【符号の説明】
【００３２】
１  下キャビネット
３  上キャビネット
４  中間ユニット
９  扉用電気錠
１５  ラッチ杆
１６  ラッチ爪
２０  係合部の一例としての係合穴
２１  操作手段の一例としての電磁ソレノイド
２２  ラッチレバー
２４  電磁ソレノイドのロッド
２６  枢支ピン
３３  ラッチレバーの係合部
３３ａ  膨らみ部
３３ｂ  傾斜面
【図１】
0004775949.tif 000002
【図２】
0004775949.tif 000003
【図３】
0004775949.tif 000004
【図４】
0004775949.tif 000005
【図５】
0004775949.tif 000006